(57)【要約】【課題】ＬＥＤランプ及びその取付方法において、取付ホルダーを用いずに、基板に対するＬＥＤ素子を有する部分の取付角度を、任意の角度で調整して、ＬＥＤランプを基板に取り付けられるようにする。【解決手段】ＬＥＤランプ１は、本体部１０に対して回動自在な脚部材１１と、基板２との当接面が円柱の側面形状である第２の当接部６０とを有している。リードフレーム１３をリードフレーム挿入孔２２に挿入し、脚部材１１を取付孔２１に嵌入して、ＬＥＤランプ１を基板２に取り付けることにより、基板に対する取付角度を０°以上９０°以下の任意の角度に調整することができる。【選択図】        図４
2004327670.tif 000002
【特許請求の範囲】
【請求項１】
ＬＥＤ素子を樹脂モールドした本体部と、該ＬＥＤ素子に電気的に接続された一対のリードフレームとを有するＬＥＤランプにおいて、
前記ＬＥＤランプは、前記本体部と着脱自在で、該本体部への取り付け時に該本体部に対して回動自在な脚部材をさらに有し、
前記本体部は、前記ＬＥＤ素子を有する胴体部と、前記ＬＥＤランプを前記基板に取り付ける際に該基板と当接する取付部とを有し、
前記取付部は、前記基板との当接面が平らな第１の当接部と、前記基板との当接面が円柱の側面形状である第２の当接部とから構成され、
前記第２の当接部には、該第２の当接部を切り欠いて形成した扇状の切り込み部が設けられており、
前記切り込み部には、前記胴体部と前記基板との取付角度が任意の角度となるように前記本体部を回動させるときに、その回動の支点となり、前記脚部材を支持する回動支持部と、その切り込みの側面に設けられた一連の凸部からなる摺動レールとが設けられており、
前記脚部材は、該脚部材を前記基板に設けられた取付孔に嵌入したときに、該脚部材を該基板の裏面で係止して、該ＬＥＤランプの前記基板からの脱落を防止するための係止爪と、前記切り込み部に設けられた摺動レールを構成する各凸部と係合するように形成された凹部とを持ち、
前記一対のリードフレームを前記基板に設けられた一対のリードフレーム挿入孔に挿入し、前記脚部材を前記取付孔に嵌入して、該ＬＥＤランプを前記基板に取り付けたときに、前記基板に対する前記胴体部の取付角度を、０°以上９０°以下の任意の角度に調整可能としたことを特徴とするＬＥＤランプ。
【請求項２】
ＬＥＤ素子を樹脂モールドした本体部と、該ＬＥＤ素子に電気的に接続された一対のリードフレームとを有するＬＥＤランプにおいて、
前記ＬＥＤランプは、前記本体部への取り付け時に該本体部に対して回動自在な脚部材をさらに有し、
前記本体部は、前記ＬＥＤ素子を有する胴体部と、前記ＬＥＤランプを前記基板に取り付ける際に該基板と当接する取付部とを有し、
前記取付部は、前記基板との当接面が略球面状、円柱の側面形状、又は多角柱の側面形状である当接部を有し、
前記当接部には、該当接部を切り欠いて形成した扇状の切り込み部が設けられており、
前記切り込み部には、前記胴体部と前記基板との取付角度が任意の角度となるように前記本体部を回動させるときに、その回動の支点となり、前記脚部材を支持する回動支持部と、前記脚部材との摺動部が設けられており、
前記脚部材は、該脚部材を前記基板に設けられた取付孔に嵌入したときに、該脚部材を該基板の裏面で係止して、該ＬＥＤランプの前記基板からの脱落を防止するための係止爪と、前記切り込み部に設けられた摺動部と係合するように形成された係合部とを持ち、
前記一対のリードフレームを前記基板に設けられた一対のリードフレーム挿入孔に挿入し、前記脚部材を前記取付孔に嵌入して、該ＬＥＤランプを前記基板に取り付けたときに、前記基板に対する前記胴体部の取付角度を、０°以上９０°以下の任意の角度に調整可能としたことを特徴とするＬＥＤランプ。
【請求項３】
ＬＥＤ素子を樹脂モールドした本体部と、該ＬＥＤ素子に電気的に接続された一対のリードフレームと、該本体部と着脱自在で、該本体部への取り付け時に該本体部に対して回動自在な脚部材とを有し、
前記本体部は、前記ＬＥＤ素子を有する胴体部と、前記ＬＥＤランプを前記基板に取り付ける際に該基板と当接する取付部とを有し、
前記取付部は、前記基板との当接面が平らな第１の当接部と、前記基板との当接面が円柱の側面形状である第２の当接部とから構成され、
前記第２の当接部には、該第２の当接部を切り欠いて形成した扇状の切り込み部が設けられており、
前記切り込み部には、前記胴体部と前記基板との取付角度が任意の角度となるように前記本体部を回動させるときに、その回動の支点となり、前記脚部材を支持する回動支持部と、その切り込みの側面に設けられた一連の凸部からなる摺動レールとが設けられており、
前記脚部材は、該脚部材を前記基板に設けられた取付孔に嵌入したときに、該脚部材を該基板の裏面で係止して、該ＬＥＤランプの前記基板からの脱落を防止するための係止爪と、前記切り込み部に設けられた摺動レールを構成する各凸部と係合するように形成された凹部とを持つＬＥＤランプを前記基板に取り付ける方法であって、
前記一対のリードフレームを、前記基板に設けられた一対のリードフレーム挿入孔に挿入し、
前記脚部材を前記取付孔に嵌入して、前記ＬＥＤランプの胴体部が該基板に対して０°以上９０°以下の任意の取付角度に調整可能な状態で、該ＬＥＤランプを該基板上に取り付け、
前記リードフレームを前記基板の裏面に形成された配線パターンに、はんだ付けしたこと特徴とするＬＥＤランプ取付方法。
【発明の詳細な説明】
【０００１】
【発明の属する技術分野】
本発明は、電子機器等の基板に実装されるＬＥＤランプ及びその取付方法に関し、特に、基板への取付角度が調整可能なＬＥＤランプ及びその取付方法に関する。
【０００２】
【従来の技術】
従来から電子機器の表示灯部等にＬＥＤ（Ｌｉｇｈｔ  Ｅｍｉｔｔｉｎｇ  Ｄｉｏｄｅ）ランプが使用されている。図７は従来のＬＥＤランプの例を示す透視図である。ＬＥＤランプ１００は、ＬＥＤ素子１０１を透明樹脂１０２等でモールドした本体部１１０と、リード線１０３等を用いてＬＥＤ素子１０１に電気的に接続された一対のリードフレーム１１３等により構成されている。このようなＬＥＤランプ１００は、一般的には、基板に設けられたリードフレーム挿入用の孔にリードフレームを挿入し、基板の裏面でリードフレームをはんだ付けすることにより基板に取り付けられる。
【０００３】
ところで、ＬＥＤランプの光の指向性を変化させて特定方向の光度を高めたい場合や、電子機器の小型化を図るために、ＬＥＤランプを基板に対して斜めに傾けて取り付けたい場合がある。従来、ＬＥＤランプを基板に対して傾けて取り付ける際には、別部品である取付ホルダーを用いて、これにＬＥＤランプを所定角度で保持させて取り付けていた。ところが、この方法においては、取付ホルダーを用いるために、部品点数が増えて、コスト高になると共に、製造工程が多くなるという問題があった。また、取付角度ごとに、対応する取付ホルダーを用意しなければならなかった。
【０００４】
一方、取付ホルダーを用いないものとして、ＬＥＤランプの本体部を基板に対して略平行な横向きにし、本体部の一部を基板に設けられた孔等に嵌合して取り付けたＬＥＤランプの取付構造が知られている（例えば、特許文献１参照）。また、ＬＥＤランプのリードフレームを所定の角度に曲げて基板に取り付けるようにしたＬＥＤランプが知られている（例えば、特許文献２参照）。
【０００５】
【特許文献１】
特開２０００−２１６５１６号公報
【特許文献２】
実開昭６３−９３６６６号公報
【０００６】
【発明が解決しようとする課題】
しかし、特許文献１の発明においては、基板に対してＬＥＤランプの本体部を略平行な横向きにして取り付ける場合は、取付ホルダーを用いず、簡易かつ確実に取り付けることができるが、ＬＥＤランプを基板に対して任意の取付角度で取り付けることはできない。また、特許文献２に記載の発明においては、取付角度ごとに対応する取付ホルダーを用いずに、ＬＥＤランプを基板に対して任意の取付角度で取り付けられるものの、ＬＥＤランプの本体部は基板から浮いた状態にあるため、取り付ける際のＬＥＤランプの位置決めや、取付強度の面で問題が生じる。
【０００７】
本発明は、上述した問題点を解決するためになされたものであり、ＬＥＤランプを基板に取り付ける際に、取付ホルダーを用いずに、取付角度を任意に調整して、簡単かつ確実に取り付けられるＬＥＤランプ及びその取付方法を提供することを目的とする。
【０００８】
【課題を解決するための手段】
上記目的を達成するために請求項１の発明は、ＬＥＤ素子を樹脂モールドした本体部と、該ＬＥＤ素子に電気的に接続された一対のリードフレームとを有するＬＥＤランプにおいて、前記ＬＥＤランプは、前記本体部と着脱自在で、該本体部への取り付け時に該本体部に対して回動自在な脚部材をさらに有し、前記本体部は、前記ＬＥＤ素子を有する胴体部と、前記ＬＥＤランプを前記基板に取り付ける際に該基板と当接する取付部とを有し、前記取付部は、前記基板との当接面が平らな第１の当接部と、前記基板との当接面が円柱の側面形状である第２の当接部とから構成され、前記第２の当接部には、該第２の当接部を切り欠いて形成した扇状の切り込み部が設けられており、前記切り込み部には、前記胴体部と前記基板との取付角度が任意の角度となるように前記本体部を回動させるときに、その回動の支点となり、前記脚部材を支持する回動支持部と、その切り込みの側面に設けられた一連の凸部からなる摺動レールとが設けられており、前記脚部材は、該脚部材を前記基板に設けられた取付孔に嵌入したときに、該脚部材を該基板の裏面で係止して、該ＬＥＤランプの前記基板からの脱落を防止するための係止爪と、前記切り込み部に設けられた摺動レールを構成する各凸部と係合するように形成された凹部とを持ち、前記一対のリードフレームを前記基板に設けられた一対のリードフレーム挿入孔に挿入し、前記脚部材を前記取付孔に嵌入して、該ＬＥＤランプを前記基板に取り付けたときに、前記基板に対する前記胴体部の取付角度を、０°以上９０°以下の任意の角度に調整可能としたものである。
【０００９】
この構成においては、ＬＥＤランプは、ＬＥＤランプの本体部に対して回動自在な脚部材と、基板との当接面が円柱の側面形状である第２の当接部とを有しており、脚部材を基板に設けられた取付孔に嵌入して、第２の当接面が基板と当接するようにＬＥＤランプを基板に取り付けることができる。このため、基板に対するＬＥＤランプの胴体部の取付角度を０°以上９０°以下の任意の角度に調整することができる。
【００１０】
脚部材は、ＬＥＤランプの本体部と着脱自在であり、取付部の回動支持部を支点として回動する。また、脚部材は、取付部の回動支持部により軸支され、その凹部を、取付部の摺動レールを構成する各凸部と係合させることにより取付部に取り付けられる。
【００１１】
第１の当接部の基板との当接面を平らな形状としたことにより、ＬＥＤランプの胴体部が基板に対して垂直になるようにＬＥＤランプを基板に取り付けた際に、ＬＥＤランプが基板上に安定した状態で保持される。
【００１２】
当接面が円柱の側面形状である第２の当接部は、ＬＥＤランプの胴体部が基板に対して任意の角度になるように、ＬＥＤランプを基板に取り付けた際に、基板と当接する部分である。第２の当接部は、ＬＥＤランプを基板に取り付けた際に、いずれの取付角度においても、回動支持部から基板に引かれた垂線の長さが略一定になるように当接面が形成されていることが好ましい。回動支持部から基板に引かれた垂線の長さが略一定になるように当接面が形成されていることにより、ＬＥＤランプを基板に取り付けたときの当接面から脚部材の係止爪の上端部までの長さが略一定となる。
【００１３】
脚部材を基板の取付孔に嵌入した際、脚部材の端部に設けられた係止爪が基板の裏面と係合することにより、脚部材は基板に係止される。従って、上述したように、ＬＥＤランプを任意の取付角度で基板に取り付けた際に、当接面から脚部材の係止爪の上端部までの長さが略一定であれば、いずれの取付角度においても、係止爪は基板の裏面に係合した状態を維持することができる。
【００１４】
請求項２の発明は、ＬＥＤ素子を樹脂モールドした本体部と、該ＬＥＤ素子に電気的に接続された一対のリードフレームとを有するＬＥＤランプにおいて、前記ＬＥＤランプは、前記本体部への取り付け時に該本体部に対して回動自在な脚部材をさらに有し、前記本体部は、前記ＬＥＤ素子を有する胴体部と、前記ＬＥＤランプを前記基板に取り付ける際に該基板と当接する取付部とを有し、前記取付部は、前記基板との当接面が略球面状、円柱の側面形状、又は多角柱の側面形状である当接部を有し、前記当接部には、該当接部を切り欠いて形成した扇状の切り込み部が設けられており、前記切り込み部には、前記胴体部と前記基板との取付角度が任意の角度となるように前記本体部を回動させるときに、その回動の支点となり、前記脚部材を支持する回動支持部と、前記脚部材との摺動部が設けられており、前記脚部材は、該脚部材を前記基板に設けられた取付孔に嵌入したときに、該脚部材を該基板の裏面で係止して、該ＬＥＤランプの前記基板からの脱落を防止するための係止爪と、前記切り込み部に設けられた摺動部と係合するように形成された係合部とを持ち、前記一対のリードフレームを前記基板に設けられた一対のリードフレーム挿入孔に挿入し、前記脚部材を前記取付孔に嵌入して、該ＬＥＤランプを前記基板に取り付けたときに、前記基板に対する前記胴体部の取付角度を、０°以上９０°以下の任意の角度に調整可能としたものである。
【００１５】
この構成においては、ＬＥＤランプは、ＬＥＤランプの本体部に対して回動自在な脚部材と、基板との当接面が円柱の側面形状である当接部とを有しており、脚部材を基板に設けられた取付孔に嵌入して、円柱の側面形状である当接面が基板と当接するようにＬＥＤランプを基板に取り付けることができる。このため、基板に対する胴体部の取付角度を０°以上９０°以下の任意の角度に調整することができる。また、脚部材は、取付部の回動支持部により軸支された状態で、係合部が取付部の摺動部に係合されることにより本体部に取り付けられ、取付部の回動支持部を支点として回動する。
【００１６】
ここで、当接面が略球面状、又は多角柱の側面形状とは、所定の取付角度ごとに、球面状又は円柱体の側面形状の当接面の一部を切り欠いて平面部を形成した形状をも含む意味である。取付部が基板と当接する際に、当接面が球面状であれば、取付部と基板は点で当接することになり、当接面が円柱の側面形状であれば、取付部と基板は線で当接することとなる。従って、所定の取付角度ごとに球面又は円柱体の側面の一部を切り欠いて平面部を形成することにより、取付部は基板と面で当接することとなり、より安定してＬＥＤランプを基板上に保持することができる。
【００１７】
請求項３の発明は、ＬＥＤ素子を樹脂モールドした本体部と、該ＬＥＤ素子に電気的に接続された一対のリードフレームと、該本体部と着脱自在で、該本体部への取り付け時に該本体部に対して回動自在な脚部材とを有し、前記本体部は、前記ＬＥＤ素子を有する胴体部と、前記ＬＥＤランプを前記基板に取り付ける際に該基板と当接する取付部とを有し、前記取付部は、前記基板との当接面が平らな第１の当接部と、前記基板との当接面が円柱の側面形状である第２の当接部とから構成され、前記第２の当接部には、該第２の当接部を切り欠いて形成した扇状の切り込み部が設けられており、前記切り込み部には、前記胴体部と前記基板との取付角度が任意の角度となるように前記本体部を回動させるときに、その回動の支点となり、前記脚部材を支持する回動支持部と、その切り込みの側面に設けられた一連の凸部からなる摺動レールとが設けられており、前記脚部材は、該脚部材を前記基板に設けられた取付孔に嵌入したときに、該脚部材を該基板の裏面で係止して、該ＬＥＤランプの前記基板からの脱落を防止するための係止爪と、前記切り込み部に設けられた摺動レールを構成する各凸部と係合するように形成された凹部とを持つＬＥＤランプを前記基板に取り付ける方法であって、前記一対のリードフレームを、前記基板に設けられた一対のリードフレーム挿入孔に挿入し、前記脚部材を前記取付孔に嵌入して、前記ＬＥＤランプの胴体部が該基板に対して０°以上９０°以下の任意の取付角度に調整可能な状態で、該ＬＥＤランプを該基板上に取り付け、前記リードフレームを前記基板の裏面に形成された配線パターンに、はんだ付けしたものである。
【００１８】
この構成においては、本体部に対して回動自在な脚部材と、基板との当接面が円柱の側面形状である第２の当接部とを有するＬＥＤランプを、リードフレーム挿入孔と脚部材が嵌入される取付孔とを有する基板に、ＬＥＤランプのリードフレームを基板のリードフレーム挿入孔に挿入し、ＬＥＤランプの脚部材を基板の取付孔に嵌入して取り付ける方法であるため、基板に対する胴体部の取付角度を０°以上９０°以下の任意の角度で調整して、ＬＥＤランプを基板に取り付けることができる。また、係止爪を有する脚部材を基板の取付孔に嵌入することにより、脚部材を基板の裏面で係止することができる。
【００１９】
【発明の実施の形態】
本発明の一実施形態によるＬＥＤランプについて図面を参照して説明する。図１（ａ）（ｂ）は、それぞれＬＥＤランプ１の正面図及び側面図である。ＬＥＤランプ１は、本体部１０と、本体部１０と着脱自在な脚部材１１と、リードフレーム１３とを有している。ＬＥＤランプ１の本体部１０は、不図示のＬＥＤ素子を有する胴体部１０ａと、基板２と当接する当接面を有する取付部１０ｂとから構成されている。また、取付部１０ｂは、基板２との当接面が平らな第１の当接部５０と、基板との当接面が円柱の側面形状である第２の当接部６０とから構成されている。
【００２０】
第２の当接部６０には、第２の当接部６０を切り欠いて形成した扇状の切り込み部６１が設けられている。切り込み部６１には、ＬＥＤランプ１の胴体部１０ａと基板２との取付角度が任意の角度となるように本体部１０ａを回動させるときに、その回動の支点となり、脚部材１１を支持する回動支持部６１ａと、その切り込みの側面に設けられた一連の凸部からなる摺動レール６１ｂとが設けられている。
【００２１】
脚部材１１は、図２及び図４に示されるように、脚部材１１を基板２に設けられた取付孔２１に嵌入したときに、脚部材１１を基板２の裏面で係止して、ＬＥＤランプ１の基板２からの脱落を防止するための係止爪１２と、図１（ａ）（ｂ）に示される切り込み部６１に設けられた摺動レール６１ｂを構成する各凸部と係合するように形成された凹部１１ａとを有している。また、脚部材１１には、摺動レール６１ｂに沿って脚部材１１が摺動するように、切欠部１１ｂ及び脚部材１１の側面部１１ｄより一段低く形成されたガイド溝１１ｃが設けられている。
【００２２】
図３（ａ）（ｂ）は、それぞれＬＥＤランプ１の本体部１０に脚部材１１を取り付けた状態を示す断面図であり、図３（ａ）は図１（ａ）におけるＡ−Ａ線断面図であり、図３（ｂ）は図１（ｂ）におけるＢ−Ｂ線断面図である。脚部材１１は、その凹部１１ａを切り込み部６１に設けられた摺動レール６１ｂの凸部７０に係合することにより、角度を調整してＬＥＤランプ１に取り付けられる。図３（ａ）に示されるように、切欠部１１ｂは、脚部材１１の凹部１１ａと係合している凸部７０ａの隣りの凸部７０ｂと接して、凸部７０ｂがガイド溝１１ｃ上に移動するのを容易にし、凸部７０ｂが凹部１１ａに摺動し易いように設けられたものである。
【００２３】
ＬＥＤランプ１は、一般的には、基板２に対して垂直に取り付けられることが多いため、図１（ｂ）に示される第１の当接部５０は、ＬＥＤランプ１の胴体部１０ａが基板２に対して垂直になるようにＬＥＤランプ１を基板２に取り付けた際に、基板２と当接するように、その当接面５０ａが平らに形成されている。
【００２４】
また、第２の当接部６０は、図４に示されるように、ＬＥＤランプ１を基板２に取り付けた際に、いずれの取付角度においても、回動支持部６１ａから基板２に引かれた垂線の長さｄ１が略一定になるように当接面６０ａが形成されている。回動支持部６１ａから基板２に引かれた垂線の長さｄ１が略一定になるように当接面６０ａが形成されていることにより、ＬＥＤランプ１を基板２に取り付けたときの当接面６０ａから脚部材１１の係止爪１２の上端部１２ａまでの長さｄ２が略一定となる。このため、ＬＥＤランプ１を後述する方法により基板２に取り付けたときに、いずれの取付角度においても、係止爪１１が基板２の裏面に係合された状態を維持することができる。
【００２５】
次に、ＬＥＤランプ１を基板２に取り付ける方法について説明する。ＬＥＤランプ１を基板２に取り付ける際、ＬＥＤランプ１のリードフレーム１３は、基板２に設けられた一対のリードフレーム挿入孔２２に挿入され、ＬＥＤランプ１の脚部材１１は、基板２の取付孔２１に嵌入される。脚部材１１を取付孔２１に嵌入可能な形状としたことにより、ＬＥＤランプ１を基板２に取り付ける際の位置決めを容易にすることができる。
【００２６】
また、取付孔２１に嵌入された脚部材１１の係止爪１２の上端部１２ａが、基板２の裏面と接することにより、脚部材１１が基板２に係止される。そして、基板２の裏面に設けられた配線パターンにリードフレーム１３をはんだ３で接着することにより、ＬＥＤランプ１は基板２に取り付けられる。
【００２７】
リードフレーム１３を基板２の裏面に形成された配線パターンに、はんだ３で接着する際に、係止爪１２は、脚部材１１が基板２の取付孔２１に嵌入された状態で、脚部材１１を基板２の裏面で係止するため、基板２を裏返しにしても、ＬＥＤランプ１が基板２から抜け落ちることがなくなり、はんだ付け作業が容易となる。
【００２８】
上述した方法により、基板２に対するＬＥＤランプ１の胴体部１０ａの取付角度を０°以上９０°以下の任意の角度で調整して、ＬＥＤランプ１を基板２上に確実に保持することができるため、取付ホルダー等を用いずに、ＬＥＤランプ１の光の指向性を変化させることができる。また、取付ホルダー等を用いずにＬＥＤランプ１を直接基板２に実装することができるので、取り付け工程を従来より簡略化することができると共に、部品点数を削減し、製造コストを低減することができる。
【００２９】
次に、本発明の第２の実施形態について図５を参照して説明する。第２の実施形態のＬＥＤランプ１は、第２の当接部６０が多角柱の側面形状である点で、第１の実施形態によるＬＥＤランプ１と異なる。脚部材１１のＬＥＤランプ本体部１０への取付方法、及びＬＥＤランプ１の基板２への取付方法は第１の実施形態のＬＥＤランプ１と同様である。第２の実施形態によるＬＥＤランプ１では、第２の当接部６０の当接面６０ａを、所定の取付角度ごとに、円柱体の側面を切り欠いて平面部を設けることにより、当接面６０ａが多角柱の側面形状となるように成形されている。このため、ＬＥＤランプ１を基板上２に取り付けた際に、第２の当接部６０が基板２と平面で接触することとなり、安定してＬＥＤランプ１を基板上２に保持することができる。
【００３０】
なお、本発明は上記実施形態の構成に限られることなく種々の変形が可能である。例えば、ＬＥＤランプ１の取付部１０ｂに取り付けられる脚部材１１の数は２本である必要はなく少なくとも１本以上あればよい。また、脚部材１１は、図６に示されるように、回動支持部に軸支される部分の形状が、回動支持部に設けられた回動軸に係止されるように鉤形に形成されていてもよい。また、係止爪１２の形状も上記実施形態には限られず、脚部材１１を基板２の裏面に係止してＬＥＤランプ１が基板２から抜け落ちない形状であればよい。また、摺動レール６１ｂは切り込みの両側面にある必要はなく、片側であってもよい。また、ＬＥＤランプ１の本体部１０に対する脚部材１１の取付角度の調整機構は、ＬＥＤランプ１の切り込み部６１に設けられた摺動レール６１ｂと脚部材１１に設けられた凹部１１ａの組み合わせに限られず、ＬＥＤランプ１に設けられた摺動部と、脚部材１１に設けられた係合部とが係合して、脚部材１１がＬＥＤランプ１の本体部１０ａに対して任意の角度で保持できればよい。
【００３１】
【発明の効果】
以上のように請求項１の発明によれば、ＬＥＤランプは、基板に対する胴体部の取付角度を０°以上９０°以下の任意の角度で調整して基板上に確実に保持されるため、取付角度ごとに対応した取付ホルダー等を用いることなく、ＬＥＤランプの光の指向性を変化させることができる。また、取付ホルダー等を用いずにＬＥＤランプを直接基板に実装することができるので、取り付け工程を従来より簡略化することができると共に、部品点数を削減し、製造コストを低減することができる。
【００３２】
また、第１の当接部の基板との当接面を平らな形状としたことにより、ＬＥＤランプの胴体部が基板に対して垂直になるようにＬＥＤランプを基板に取り付けた際に、ＬＥＤランプが基板上に安定した状態で保持される。
【００３３】
また、係止爪は、脚部材が基板の取付孔に嵌入された状態で、脚部材を基板の裏面で係止するため、リードフレームを基板の裏面に形成された配線パターンにはんだ付けする際に、ＬＥＤランプを基板に取り付けた状態で基板を裏返しにしても、ＬＥＤランプが基板から抜け落ちることがなくなるので、はんだ付け作業が容易となる。
【００３４】
請求項２の発明によれば、ＬＥＤランプは、基板に対する胴体部の取付角度を０°以上９０°以下の任意の角度で調整して基板上に確実に保持されるため、取付角度ごとに対応した取付ホルダー等を用いることなく、ＬＥＤランプの光の指向性を変化させることができ、製造コストを低減することができる。
【００３５】
請求項３の発明によれば、本体部に対して回動自在な脚部材と、基板との当接面が円柱の側面形状である第２の当接部とを有するＬＥＤランプを、基板に対する胴体部の取付角度を０°以上９０°以下の任意の角度で調整して、基板に取り付けることができるため、取付角度ごとに対応した取付ホルダー等を用いることなく、ＬＥＤランプの光の指向性を変化させることができる。また、係止爪は、脚部材を基板の裏面で係止するため、リードフレームを基板の裏面に形成された配線パターンにはんだ付けする際、ＬＥＤランプを基板に取り付けた状態で基板を裏返してもＬＥＤランプが基板から抜け落ちることがなくなり、はんだ付け作業が容易となる。
【図面の簡単な説明】
【図１】（ａ）（ｂ）は、それぞれ本発明の一実施形態によるＬＥＤランプを示す正面図と側面図。
【図２】同ＬＥＤランプの脚部材を示す斜視図。
【図３】（ａ）（ｂ）は、それぞれ図１（ａ）におけるＡ−Ａ線断面図と図１（ｂ）におけるＢ−Ｂ線断面図。
【図４】上記ＬＥＤランプを基板に取り付けたときの状態を示す側面図。
【図５】本発明の第２の実施形態に係るＬＥＤランプを基板に取り付けたときの状態を示す側面図。
【図６】同ＬＥＤランプの脚部材の一部を示す斜視図。
【図７】従来のＬＥＤランプの透視図。
【符号の説明】
１    ＬＥＤランプ
２    基板
３    はんだ
１０    本体部
１０ａ    胴体部
１０ｂ    取付部
１１    脚部材
１１ａ    凹部（係合部）
１２    係止爪
１３    リードフレーム
２１    取付孔
２２    リードフレーム挿入孔
５０    第１の当接部
６０    第２の当接部（当接部）
６１    切り込み部
６１ａ    回動支持部
６１ｂ    摺動レール（摺動部）
【図１】
2004327670.tif 000003
【図２】
2004327670.tif 000004
【図３】
2004327670.tif 000005
【図４】
2004327670.tif 000006
【図５】
2004327670.tif 000007
【図６】
2004327670.tif 000008
【図７】
2004327670.tif 000009